(57)【特許請求の範囲】
【請求項１】
伝送条件に関する条件情報を格納した記憶手段を有し、
前記条件情報に従い外部機器と通信を行い、
前記記憶手段は、書き換え可能な記憶手段であり、
前記条件情報の内容は、外部からのコマンドにより変更可能であり、
前記伝送条件又は前記条件情報は、伝送速度に関する情報及び初期応答ファイルの内容の一部又は全部に関する初期応答情報であるＩＣカードにおいて、
前記伝送速度に関する情報と、前記初期応答情報との関係に関する情報を記憶する参照情報記憶手段と、
前記外部からのコマンドにより、前記伝送速度に関する情報の内容が変更された場合に、前記参照情報記憶手段に記憶されている情報に基づき前記初期応答情報の内容を変更する変更手段と
を有することを特徴とするＩＣカード。
【請求項２】
伝送条件に関する条件情報を格納した記憶手段を有し、
前記条件情報に従い外部機器と通信を行い、
前記記憶手段は、書き換え可能な記憶手段であり、
前記条件情報の内容は、外部からのコマンドにより変更可能であり、
前記伝送条件又は前記条件情報は、ストップビットに関する情報及び初期応答ファイルの内容の一部又は全部に関する初期応答情報であるＩＣカードにおいて、
前記ストップビットに関する情報と、前記初期応答情報との関係に関する情報を記憶する参照情報記憶手段と、
前記外部からのコマンドにより、前記ストップビットに関する情報の内容が変更された場合に、前記参照情報記憶手段に記憶されている情報に基づき前記初期応答情報の内容を変更する変更手段と
を有することを特徴とするＩＣカード。
【請求項３】
伝送条件に関する条件情報を格納した記憶手段を有し、
前記条件情報に従い外部機器と通信を行い、
前記記憶手段は、書き換え可能な記憶手段であり、
前記条件情報の内容は、外部からのコマンドにより変更可能であり、
前記伝送条件又は前記条件情報は、伝送速度に関する情報、ストップビットに関する情報及び初期応答ファイルの内容の一部又は全部に関する初期応答情報であるＩＣカードにおいて、
前記伝送速度に関する情報及び前記ストップビットに関する情報と、前記初期応答情報との関係に関する情報を記憶する参照情報記憶手段と、
前記外部からのコマンドにより、前記伝送速度に関する情報及び前記ストップビットに関する情報の内容が変更された場合に、前記参照情報記憶手段に記憶されている情報に基づき前記初期応答情報の内容を変更する変更手段と
を有することを特徴とするＩＣカード。
【発明の詳細な説明】
【０００１】
【発明の属する技術分野】
本発明は、ＩＣカードが発行された後に、コマンドを付与することにより、リーダライタ装置等との通信条件を設定・変更することが可能なＩＣカードに関するものである。
【０００２】
【従来の技術】
従来のＩＣカードは、ＣＰＵ、ＲＡＭ、ＲＯＭ、ＥＥＰＲＯＭ等を具備しており、Ｉ／Ｏ端子を介してリーダライタ装置と通信を行い、コマンドを受信し、そのコマンドを解釈、実行していた。この場合に、コマンドは、共通コマンドとして、ＪＩＳ  Ｘ  ６３０６に定められているものを使用している。
【０００３】
また、ＩＣカードは、外部と通信を行う場合には、そのＩＣカードが属するＩＣカードシステム（以下、単に「システム」という）において予め定められた一定の通信条件に従い行う。ここで、通信条件とは、例えば、信号の伝送速度、ストップビットの長さ、初期応答（ＡＴＲ）の内容などをいう。
【０００４】
従来、一つのＩＣカードは、一つのシステムにおいてのみ使用されていたので、ＩＣカードが従うべき通信条件は一つのみであった。このために、通信条件は、ＩＣカードのＲＯＭに、ＩＣカードの動作を規定するプログラムとともに格納され、ＩＣカードがリーダライタ装置と通信を行う場合には、ＣＰＵがＲＯＭの通信条件を読みとり、その条件に沿った通信を行っていた。
【０００５】
【発明が解決しようとする課題】
ＩＣカードは、そのセキュリティの高さ等が評価され、最近、急速に社会に普及しつつある。また、ＩＣカードの普及に伴い、一つのＩＣカードを異なる２以上のシステムで利用したいとの要求が増大しつつある。これに対し各システムは、システムの目的や、システムを構築したハードウェアの相違から、設定されている通信条件が異なる場合が多い。また、同一のシステムであっても、新技術の導入により通信速度を高める等、通信条件が変更となる場合がある。
【０００６】
一方、従来のＩＣカードでは、通信条件がＲＯＭに格納されていたために、その設定を後発的に変更することはできない。したがって、一つのＩＣカードを異なる２以上のシステムにおいて使用したい場合には、システム側において通信条件を統一する必要があった。
【０００７】
しかし、システム間の通信条件の統一は、場合によっては多大の設備投資を必要とするという問題を有する。
また、同一システムにおいて、通信条件を変更する場合には、新しい通信条件を格納したＲＯＭを開発・製造し、それを用いてＩＣカードを再生産・再発行しなければならない。ところが、新しいＲＯＭの開発・生産には、多大な費用と時間が必要とされる。このために、一般にシステムの通信条件を変更することは容易でなく、関連技術が大きく進歩しているのにも関わらず、ＩＣカードのシステムにその利益を導入できないという問題があった。
【０００８】
そこで、本発明の課題は、ＩＣカードの発行後に、その通信条件をコマンドにより用意に設定・変更することが可能なＩＣカードを提供することである。
【０００９】
【課題を解決するための手段】
前記課題を解決するために、請求項１の発明は、伝送条件に関する条件情報を格納した記憶手段を有し、前記条件情報に従い外部機器と通信を行い、前記記憶手段は、書き換え可能な記憶手段であり、前記条件情報の内容は、外部からのコマンドにより変更可能であり、前記伝送条件又は前記条件情報は、伝送速度に関する情報及び初期応答ファイルの内容の一部又は全部に関する初期応答情報であるＩＣカードにおいて、前記伝送速度に関する情報と、前記初期応答情報との関係に関する情報を記憶する参照情報記憶手段と、前記外部からのコマンドにより、前記伝送速度に関する情報の内容が変更された場合に、前記参照情報記憶手段に記憶されている情報に基づき前記初期応答情報の内容を変更する変更手段とを有することを特徴とする。
【００１０】
請求項２の発明は、伝送条件に関する条件情報を格納した記憶手段を有し、前記条件情報に従い外部機器と通信を行い、前記記憶手段は、書き換え可能な記憶手段であり、前記条件情報の内容は、外部からのコマンドにより変更可能であり、前記伝送条件又は前記条件情報は、ストップビットに関する情報及び初期応答ファイルの内容の一部又は全部に関する初期応答情報であるＩＣカードにおいて、前記ストップビットに関する情報と、前記初期応答情報との関係に関する情報を記憶する参照情報記憶手段と、前記外部からのコマンドにより、前記ストップビットに関する情報の内容が変更された場合に、前記参照情報記憶手段に記憶されている情報に基づき前記初期応答情報の内容を変更する変更手段とを有することを特徴とする。
【００１１】
請求項３の発明は、伝送条件に関する条件情報を格納した記憶手段を有し、前記条件情報に従い外部機器と通信を行い、前記記憶手段は、書き換え可能な記憶手段であり、前記条件情報の内容は、外部からのコマンドにより変更可能であり、前記伝送条件又は前記条件情報は、伝送速度に関する情報、ストップビットに関する情報及び初期応答ファイルの内容の一部又は全部に関する初期応答情報であるＩＣカードにおいて、前記伝送速度に関する情報及び前記ストップビットに関する情報と、前記初期応答情報との関係に関する情報を記憶する参照情報記憶手段と、前記外部からのコマンドにより、前記伝送速度に関する情報及び前記ストップビットに関する情報の内容が変更された場合に、前記参照情報記憶手段に記憶されている情報に基づき前記初期応答情報の内容を変更する変更手段とを有することを特徴とする。
【００１２】
【発明の実施の形態】
以下、図面等を参照して、本発明に係る一実施形態について、さらに詳しく説明する。
図１は、本発明に係るＩＣカード１０及びリーダライタ装置２０を示すブロック図である。
【００１３】
はじめに、図１を用いてＩＣカード１０の構成について説明する。
図に示されるように、ＩＣカード１０には、Ｉ／Ｏインタフェース１１、ＣＰＵ１２、ＲＯＭ１３、ＲＡＭ１４、ＥＥＰＲＯＭ１５が内蔵されている。Ｉ／Ｏインタフェース１１は、データを送受するための入出力回路であり、ＣＰＵ１２は、このＩ／Ｏインタフェース１１を介してリーダライタ装置２０と交信する。ＲＯＭ１３内には、ＣＰＵ１２によって実行されるべきプログラムが記憶されており、ＣＰＵ１２はこのプログラムに基いて、ＩＣカード１０を統括制御する。ＲＡＭ１４は、ＣＰＵ１２がこのような統括制御を行う上で作業領域として使用するメモリである。一方、ＥＥＰＲＯＭ１５は、このＩＣカード１０に記録すべき本来のデータを格納するメモリである。
【００１４】
ＩＣカード１０には、リーダライタ装置２０から電源やクロックが供給される。したがって、ＩＣカード１０がリーダライタ装置２０等と切り離されると、ＩＣカード１０への電源及びクロックの供給は停止する。しかしながら、ＥＥＰＲＯＭ１５は不揮発性メモリであるため、電源供給が停止した後もその記録内容はそのまま保持される。ただし、ＲＡＭ１４内のデータについては、電源供給の停止によりすべて失われる。
【００１５】
ＩＣカード１０内の各メモリ１３、１４、１５へのアクセスは、すべてＣＰＵ１２を介して行われ、外部からこれらメモリを直接アクセスすることはできない。すなわち、リーダライタ装置２０等からＣＰＵ１２に対して所定の「コマンド」を与えると、ＣＰＵ１２はこの「コマンド」を解釈実行し、その結果を、リーダライタ装置２０等に対して「レスポンス」として返送することになる。
【００１６】
図２は、本実施形態のＲＯＭ１３、ＥＥＰＲＯＭ１５に割り付けられているアドレスの一例を示す図である。本実施形態では、ＲＯＭ１３にアドレス００００ｈ〜１ＦＦＦｈを、ＥＥＰＲＯＭ１５に８０００ｈ〜９ＦＦＦｈのアドレスを割り当てている。なお、数値の末尾に付加されている「ｈ」は、その数値が１６進法に基づき表記されていることを意味する。
【００１７】
本実施形態では、ＩＣカード１０がリーダライタ装置２０と通信を行う際の通信条件をＲＯＭ１３のアドレス００Ａ１ｈ〜００Ａ４ｈの領域と、ＥＥＰＲＯＭ１５のアドレス８０２５ｈ以降の所定領域に格納している。
ＲＯＭ１３のアドレス００Ａ１ｈ及び００Ａ２ｈには、通信信号の伝送速度に関する情報が格納されている。例えば、アドレス００Ａ１ｈには、伝送速度Ａとして９６００（ｂｐｓ）、アドレス００Ａ２ｈには、伝送速度Ｂとして１９２００（ｂｐｓ）の値が格納されている。
【００１８】
また、アドレス００Ａ３ｈ及び００Ａ４ｈには、ストップビットのビット長に関する情報が格納されている。すなわち、アドレス００Ａ３ｈには、ストップビットＣとして１（ビット）、アドレス００Ａ４ｈには、ストップビットＤとして２（ビット）の値が格納されている。
【００１９】
一方、ＥＥＰＲＯＭ１５のアドレス８０２５ｈには、ユーザーの指定識別が格納されている。指定識別は、最初のＣＵＳＴＯＭＩＺＥコマンドを受ける前までは、ＦＦｈに設定されている。指定識別がＦＦｈである時は、別のメモリ（本実施形態ではＲＯＭの「１０２５ｈ〜１０２９ｈ」の領域）に、製造時に設定されたＡＴＲ値、伝送条件を参照すべきこと意味する。指定識別は、ＣＵＳＴＯＭＩＺＥコマンドを受けた後は、内部で自動的にＣ３ｈに書き代わる。指定識別がＣ３ｈであるときは、ユーザーの設定したＡＴＲ値等を参照すべきことが意味される。
また、アドレス８０２６ｈには、ＲＯＭ１３に格納されている伝送速度Ａ、Ｂのいずれに従って通信を行うか、すなわち、伝送速度を指定するフラグ（以下「伝送速度フラグ」という）が格納されている。伝送速度フラグは、例えば、第３ビット目のみが「１」に設定されていれば伝送速度Ａに従い、また、第３ビット目及び第１ビット目が「１」に設定されているときは、伝送速度Ｂに従い通信を行うべきことを示す。
【００２０】
ＥＥＰＲＯＭ１６のアドレス８０２７ｈには、ストップビットのビット長をＲＯＭ１３に格納されているストップビットＣ、Ｄのいずれに設定すべきかを示すフラグ（以下「ストップビットフラグ」という）が、第１ビット目から第７ビット目までに格納されている。ストップビットフラグは、例えば、第１ビット目が「１」に設定されていればストップビットＡに示されるビット長のストップビットを使用し、「０」に設定されていればストップビットＢに示されるビット長のストップビットを使用して通信を行うべきことを示す。
【００２１】
アドレス８０２７ｈの第８ビット目には、スリープモードフラグが設定されている。スリープモードとは、コマンド受信待ち状態において、低消費電力モードに自動的に移行するというＩＣカードの動作態様の一つである。スリープモードフラグは、「１」のときにスリープモードを使用することを、「０」のときにスリープモードを使用しないことを示す。
【００２２】
アドレス８０２９ｈには、初期応答ファイルの一部または全部を構成すべき情報が格納されている。図３は、初期応答ファイルの項目とその内容を示した図である。初期応答ファイルの内容は、ＩＳＯに規格化されており、フォーマットキャラクタ、インターフェイスキャラクタ等から構成される。本実施形態では、初期応答ファイルの内容のうち、インターフェイスキャラクタの内容をアドレス８０２９ｈに格納している。また、アドレス８０２８ｈには、そのインタフェースキャラクターの長さ（バイト数）が格納されている。
【００２３】
本実施形態では、ＩＣカード１０がリーダライタ装置２０と通信を行う場合には、ＣＰＵ１２がＥＥＰＲＯＭ１５のアドレス８０２５ｈ以降の領域を参照し、それに格納されている情報に基づいて通信条件を設定する。すなわち、ＩＣカード１０では、通信を開始する前に、ＥＥＰＲＯＭ１５に格納されている伝送速度フラグ及びストップビットフラグが確認される。次に、確認された伝送速度フラグ等により指定された伝送速度及びストップビット長がＲＯＭ１３より読み出され、それらの内容に従った条件により通信が行われる。また、リーダライタ装置に対し初期応答（ＡＴＲ）を行うときには、アドレス８０２８ｈ以降に格納されているインターフェースキャラクタが参照され、その内容を反映した初期応答ファイルが初期応答としてリーダライタ装置に送信される。
【００２４】
図４は、本実施形態に係るＩＣカードで使用されるＣＵＳＴＯＭＩＺＥコマンドのＡＰＤＵを示す図である。
ＣＵＳＴＯＭＩＺＥコマンドは、ＥＥＰＲＯＭ１６に格納されている伝送速度フラグ，ストップビットフラグ及びインターフェースキャラクタ等の設定・変更を行なうためのコマンドである。ＣＵＳＴＯＭＩＺＥコマンドを使用して、伝送速度フラグ等の内容を設定・変更した場合には、設定・変更後の内容は、ＩＣカードを次回活性化した後から有効となる。
【００２５】
ＣＵＳＴＯＭＩＺＥコマンドの第１バイト目から第４バイト目には、順にコマンドのクラス（ＣＬＡ）、種別コード（ＩＮＳ）、パラメータ（Ｐ１、Ｐ２）が配置されている。また、第６バイト目以降は、コマンドのデータフィールド（ＤＡＴＡ）である。データフィールドには、先頭から伝送速度フラグ、スリープモードフラグ及びストップビットフラグ、インターフェースキャラクタ長、及びインターフェースキャラクタが配置されている。なお、ＣＬＡからＬＣまでには、例えば図４に示す各値が割り当てられている。
【００２６】
図５は、ＣＵＳＴＯＭＩＺＥコマンドを処理するＩＣカード１０の動作を示す流れ図である。
ＩＣカード１０は、リーダライタ装置２０からＣＵＳＴＯＭＩＺＥコマンドを受信すると、はじめにコマンドの実行前チェックを行う（Ｓ１０１）。実行前チェックは、例えば、ＬＣが存在し、かつ、その値が適正であるか、ＤＡＴＡの内容が存在するか等、受信したコマンドがＣＵＳＴＯＭＩＺＥコマンドとして必要な情報を備えているか否かについて行われる。実行前チェックを行った結果、エラーが発見された場合には（Ｓ１０２、Ｎｏ）、その旨のエラーメッセージが生成される（Ｓ１０３）。生成されたエラーメッセージは、レスポンスとしてリーダライタ装置２０に送信され（Ｓ１１７）、これをもってコマンドの処理は終了される。
【００２７】
実行前チェックにおいてエラーが発見されなかった場合（Ｓ１０２、Ｙｅｓ）には、次にＣＵＳＴＯＭＩＺＥコマンドのデータフィールド（ＤＡＴＡ）の内容が確認される（Ｓ１０４、Ｓ１０７、Ｓ１１０）。はじめに、ＩＣカード１０は、データフィールドの第１バイト目（伝送速度）のチェックを行い、上位，下位それぞれの４ビットが０１００ｂ，０１０１ｂ，０１１０ｂのいずれかの値であるか否かを判断する（Ｓ１０４、Ｓ１０５）。その結果、第１バイト目の内容が上記いずれかの値に該当しなかった場合には（Ｓ１０５、Ｎｏ）、該当するデータがない旨のエラーメッセージを生成して（Ｓ１０６）、これをレスポンスとしてリーダライタ装置２０へ送信する（Ｓ１１７）。レスポンスの送信が終了すると、コマンドの処理は終了される。
【００２８】
Ｓ１０４、Ｓ１０５において、第１バイト目のデータが正常であることが確認されると、次に、データフィールドの第２バイト目（ストップビット）のチェックが行われる（Ｓ１０７）。チェックの結果、第１ビット及び第８ビットが、０、１以外の値を有する場合には（Ｓ１０８、Ｎｏ）、該当するデータがない旨のエラーメッセージを生成する（Ｓ１０９）。生成されたエラーメッセージは、レスポンスとしてリーダライタ装置２０へ送信され（Ｓ１１７）、その後にコマンドの処理が終了される。
【００２９】
Ｓ１０７、Ｓ１０８において、第２バイト目のデータが適正なものであることが確認されると、次に、データフィールドの第３バイト目（インターフェースキャラクタ長）のチェックが行われる（Ｓ１１０）。チェックの結果、第３バイト目の内容が１５を超える値を有する場合には（Ｓ１１１、Ｎｏ）、該当するデータがない旨のエラーメッセージが生成される（Ｓ１１２）。生成されたエラーメッセージは、リーダライタに送信され（Ｓ１１７）、これによりコマンドの処理は終了する。
【００３０】
データフィールドの第１バイト目から第３バイト目までのチェックが全て終了し、データフィールドの内容が適正なものであることが確認されると、次に、データフィールドの内容をＥＥＰＲＯＭ１５に書き込む処理が実行される（Ｓ１１３）。具体的には、まず、アドレス８０２５ｈのユーザー指定識別が「ＦＦｈ」から「Ｃ３ｈ」に書き直される。
次に、ＣＵＳＴＯＭＩＺＥコマンドのデータフィールドの内容が、アドレスの８０２６ｈ以降に順に書き込まれる。すなわち、ＥＥＰＲＯＭ１５に格納されていた伝送速度フラグ等の内容は、ＣＵＳＴＯＭＩＺＥコマンドのデータフィールドの内容に変更される。書き込みが正常に行なわれた場合には、その旨のメッセージが生成され（Ｓ１１６）、レスポンスとしてリーダライタ装置２０に送信される（Ｓ１１７）。レスポンス送信後、ＩＣカード１０は、ＣＵＳＴＯＭＩＺＥコマンドの処理を終了する。
【００３１】
以上説明したように、本実施形態では、ＣＵＳＴＯＭＩＺＥコマンドを用いてＩＣカード１０の通信条件を設定・変更することが可能となっている。
例えば、伝送速度は、９６００ｂｐｓ又は１９２００ｂｐｓ（ＣＬＫ＝３．５７１２供給時）のいずれか一方に自由に設定することが可能である。つまり、本実施形態では、従来、出荷時に一義的に設定されていた伝送速度を、ＩＣカードが発行された後に、ユーザー側で使用するリーダライタ装置２０の速度に対応させて、設定することが可能となっている。
【００３２】
また、本実施形態では、ストップビットの長さもＣＵＳＴＯＭＩＺＥコマンドを用いて設定・変更することが可能である。ストップビットは、１バイトのデータを送るときに、データが送り終わったことを示すビットである。ストップビットが短い場合には、リーダライタ装置２０の処理能力によっては、ＲＡＭ１４にデータを格納するのに時間がかかり、データを取り込みきれないことがある。この実施形態では、上記のような場合に、ストップビットを長くして、問題を解消することができる。また、処理速度をあげるために、ストップビットを短くすることも可能である。
【００３３】
さらに、本実施形態では、初期応答ファイルの内容を変えることができる。初期応答ファイルの内容は、ＩＣカードシステムにより異なる場合が多い。このために、使用されるコマンドの内容が同一である２つのシステムが存在しても、それぞれのシステムにおいて規定されている初期応答ファイルの内容が異なる場合には、一つのＩＣカードをその双方のシステムにおいて使用できないこととなる。これに対し、本実施形態では、予めＣＵＳＴＯＭＩＺＥコマンドを用いてＥＥＰＲＯＭ１５に格納されているインターフェイスキャラクタ等の内容を変更することにより、上記問題を解決し、一つのＩＣカードを複数のシステムにおいて使用可能とすることができる。
【００３４】
（その他の実施形態）
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【００３５】
上記実施形態では、ＣＵＳＴＯＭＩＺＥコマンドにより、ＥＥＰＲＯＭ１５に格納されているインターフェイスキャラクタを設定・変更することとしているが、これは、ＩＣカード１０がＥＥＰＲＯＭ１５に格納されている伝送速度、ストップビットの設定値を参照して、自動的にインターフェイスキャラクタを設定・変更することとしてもよい。
インターフェイスキャラクタを構成するデータの内容は、ＩＳＯ規格により定められている。ＩＳＯ規格によれば、ストップビットが「１」である場合には、インターフェイスキャラクタのＴＣ１（図参照）は「ＦＦ」、ストップビットが「２」である場合には「００」に設定される。また、クロック周波数３．５７１２ＭＨｚにおいて、伝送速度が９６００ｂｐｓである場合には、ＴＡ１は「１１」に、１９２００ｂｐｓの場合には「１２」に設定される。したがって、ＲＯＭ１３に必要とされるＩＳＯ規格の所定データを予め格納し、ＥＥＰＲＯＭ１５において、伝達速度又はストップビットに関する情報が変更等された場合に、ＣＰＵ１２がＲＯＭ１３に格納されているデータを参照して、必要に応じてＥＥＰＲＯＭ１５に格納されているインターフェイスキャラクタを書き換えることであってもよい。
【００３６】
また、上記実施形態では、ＥＥＰＲＯＭ１５に伝送速度フラグ、ストップビットフラグを格納することとしているが、これは、９６００、１９２００（ｂｐｓ）等の伝送速度の値や、１ビット、２ビット等のストップビット長の値を直接ＥＥＰＲＯＭ１５に格納・変更することとしてもよい。
【００３７】
【発明の効果】
以上詳しく説明したように、本発明によれば、ＩＣカードが発行された後に、ユーザー側で使用するリーダライタ装置の仕様等に対応させて、ＩＣカードの通信条件を設定することが可能となっている。
【図面の簡単な説明】
【図１】本発明に係るＩＣカード及びリーダライタ装置を示すブロック図である。
【図２】ＲＯＭ１３、ＥＥＰＲＯＭ１５に割り付けられているアドレスの一例を示す図である。
【図３】初期応答ファイルの項目とその内容を示した図である。
【図４】ＣＵＳＴＯＭＩＺＥコマンドのＡＰＤＵを示す図である。
【図５】ＣＵＳＴＯＭＩＺＥコマンドを処理するときのＩＣカードの動作を示す流れ図である。
【符号の説明】
１１  Ｉ／Ｏインタフェース
１２  ＣＰＵ
１３  ＲＯＭ
１４  ＲＡＭ
１５  ＥＥＰＲＯＭ
２０  取引端末装置
【図１】
0003718564.tif 000002
【図２】
0003718564.tif 000003
【図３】
0003718564.tif 000004
【図４】
0003718564.tif 000005
【図５】
0003718564.tif 000006